(57)【特許請求の範囲】
【請求項１】
並行してライン状に複数配置される第１の電極と、
前記第１の電極とは略９０度をなす角度で立体交差して並行してライン状に複数配置され、前記第１の電極に対向して設けられる第２の電極と、
前記第１の電極と前記第２の電極の電位を制御する制御部と、
前記第１の電極と前記第２の電極が立体交差する立体交差領域にエレクトロクロミック組成物層と、を備え、
前記制御部は、
所定の立体交差領域を発色させる場合に、
所定期間を最初の第１期間と次の第２期間との２つの期間に分割して、
前記所定の立体交差領域に対応する前記第１の電極を電位Ｖ３から前記所定期間電位Ｖ４（Ｖ４＜Ｖ３）とし、
前記所定の立体交差領域に対応する前記第２の電極を電位Ｖ２から、前記第１期間は電位Ｖ１（Ｖ１＞Ｖ２、Ｖ１＞Ｖ３）とし、前記第２期間は電位Ｖ５（Ｖ５＜Ｖ３）とし、
前記所定の立体交差領域に対応する前記第１の電極に隣接する第１の電極が発色のための制御が行われない場合に、前記所定期間に前記電位Ｖ３とされ、
前記第１期間において、前記所定の立体交差領域に対応する前記第２の電極と、前記所定の立体交差領域に対応しない前記第１の電極と、の間に蓄積された電荷が、前記第２期間で除去されるように制御することを特徴とする表示装置。
【請求項２】
請求項１に記載の表示装置において、
前記制御部は、
前記第１期間の長さと、前記第２期間の長さとが略同一となるよう制御し、
前記電位Ｖ１と前記電位Ｖ３との差｜Ｖ１−Ｖ３｜と、前記電位Ｖ３と前記電位Ｖ５との差｜Ｖ３−Ｖ５｜とが略同一となるよう制御することを特徴とする表示装置。
【請求項３】
請求項１又は２に記載の表示装置において、
前記制御部は、
前記電位Ｖ５が、Ｖ５≧Ｖ４となるよう制御することを特徴とすることを特徴とする表示装置。
【請求項４】
請求項１から請求項３の何れか一項に記載の表示装置において、
前記制御部は、
前記電位Ｖ２が、Ｖ２＜０となるよう制御し、
前記電位Ｖ３が、Ｖ３＞０となるよう制御することを特徴とする表示装置。
【請求項５】
請求項１から請求項４の何れか一項に記載の表示装置において、
発色させる前記所定の立体交差領域に対応する前記第１の電極に対して隣接する第１の電極に対応する立体交差領域を発色させない場合に、当該隣接する第１の電極は前記電位Ｖ３が維持されることを特徴とする表示装置。
【発明の詳細な説明】
【技術分野】
【０００１】
本発明は、表示装置に関する。
【背景技術】
【０００２】
電子情報ネットワークの普及に伴い、従来の印刷技術による書籍に代わり、電子書籍の形での出版、すなわち電子出版が盛んに行われるようになってきた。こうしたネットワークで配信される電子情報を表示する装置として、例えば、ＣＲＴ（Cathode Ray Tube）ディスプレイやバックライト型液晶ディスプレイが用いられている。しかし、これらのディスプレイを用いた表示は、紙に印刷した慣用の表示に比べ、読む場所が制限され、取り扱いの面においても重量、大きさ、形状、携帯性の点で劣る。また、これらのディスプレイは消費電力が大きいため、電池による駆動であれば表示時間にも制限が生じてしまう。さらに、これらのディスプレイは、何れも発光型のディスプレイであり、長時間凝視すると高度の疲労を招くことがあるという問題もある。
【０００３】
したがって、上記のような問題を解決できる表示デバイス、さらには、書き換え可能な表示デバイスが望まれている。このような表示デバイスとして、ペーパーライクディスプレイ或いは電子ペーパーと称するものが提案されている。具体的には、例えば、反射型液晶方式の表示デバイス、電気泳動方式の表示デバイス、二色性の粒子を電場で回転させる方式の表示デバイス、エレクトロクロミック方式の表示デバイス等がこれまでに提案されている。
【０００４】
ところで、エレクトロクロミック方式の表示デバイス（エレクトロクロミック表示デバイス）において、画像の表示は、選択された画素（選択画素）を発色させるための通電（具体的には、選択画素を形成するライン電極（対向電極）に負電圧、当該選択画素を形成するデータ電極（表示電極）に正電圧を印加すること）によって実施され、表示した画像の消去は、選択画素を発色させるための通電とは逆方向の通電（具体的には、当該対向電極に正電圧、当該表示電極に負電圧を印加すること）によって実施される。
【０００５】
しかし、電極間は電解質溶液で満たされているため、選択画素を発色させるための通電によって、当該選択画素を形成する電極間は、分極して、電解コンデンサや電池のような状態となる。すなわち、選択画素を発色させるための通電の後は、当該選択画素を形成する電極間に電荷が残存する。この電荷は、電解質溶液を介して周辺へと移動し、非選択画素を形成する電極間へも移動する。したがって、例えば、高速スキャンを行って、一の画像を繰り返し表示すると、残存する電荷が消滅する前に次の通電が行われるため、非選択画素を形成する電極間に電荷が蓄積して、当該非選択画素が発色してしまい、選択画素が滲んだような不鮮明な画像が表示されてしまうという問題がある。そこで、残存する電荷の移動を防止するために、画素同士の間に画素間を分離するための隔壁を形成することが考えられるが、隔壁の形成には、位置合わせ等の正確性や緻密性が要求され、作製にかかる負担が大きい。
【０００６】
そこで、例えば、図１１（ａ）に示すように、選択画素を形成する対向電極を負電極、当該選択画素を形成する表示電極を正電極として、電極間に第１電位差の電圧を印加し、その直後に、当該対向電極を正電極、当該表示電極を負電極として、電極間に第１電位差と同等又はそれ以上の第２電位差の電圧を印加する印加処理を行う手法が提案された（例えば、特許文献１参照）。
すなわち、選択画素を発色させるための通電の直後に、当該通電とは逆方向の通電を行い、当該選択画素を形成する電極間に発生した電荷を解消（除去）することによって、電荷が残存しないようにしている。そのため、残存する電荷の影響で非選択画素が発色してしまうことがなく、８ｍ秒／ライン程度の高速スキャンを行っても、高品質な画像を表示することができる。
【先行技術文献】
【特許文献】
【０００７】
【特許文献１】特開２０１０−２６１９８３号公報
【発明の概要】
【発明が解決しようとする課題】
【０００８】
しかしながら、特許文献１においては、非選択画素を形成する対向電極や表示電極の電位を制御していないので、非選択画素を形成する対向電極や表示電極の電位が表示する画像等に応じて変化する。選択画素を形成する対向電極と表示電極との間の第１電位差の電圧印加に伴って、選択画素を形成する電極と非選択画素を形成する電極との間にも電圧が印加されるが（図１１（ｂ）参照。図１１（ｂ）は選択画素を形成する表示電極と非選択画素を形成する対向電極との間に印加される電圧を示す。）、非選択画素を形成する対向電極や表示電極の電位が表示する画像等に応じて変化すると、選択画素を形成する電極と非選択画素を形成する電極との間に発生した電荷を十分に除去できない場合がある。
特に、対向電極は、１行目→２行目→３行目→…の順に選択されるので、同じ対向電極が連続して選択されることはない。これに対し、表示電極は、例えば、１行目の対向電極が選択されると、１行目の発色すべき画素を形成する表示電極が選択され、２行目の対向電極が選択されると、２行目の発色すべき画素を形成する表示電極が選択されるので、同じ表示電極が連続して選択される場合がある。そのため、選択画素を形成する表示電極と非選択画素を形成する対向電極との間には電荷が残存し易く、特許文献１に記載の手法を用いても、１ｍ秒／ライン程度の高速スキャンを行うと、表示電極に沿った線状の滲みが目立つ低品質な画像が表示されてしまう場合があることが分かった。
【０００９】
本発明の課題は、パッシブマトリクス駆動のエレクトロクロミック表示デバイスを備える表示装置において、高品質な画像の高速表示を実現することにある。
【課題を解決するための手段】
【００１０】
上記課題を解決するために、請求項１に記載の発明は、
並行してライン状に複数配置される第１の電極と、
前記第１の電極とは略９０度をなす角度で立体交差して並行してライン状に複数配置され、前記第１の電極に対向して設けられる第２の電極と、
前記第１の電極と前記第２の電極の電位を制御する制御部と、
前記第１の電極と前記第２の電極が立体交差する立体交差領域にエレクトロクロミック組成物層と、を備え、
前記制御部は、
所定の立体交差領域を発色させる場合に、
所定期間を最初の第１期間と次の第２期間との２つの期間に分割して、
前記所定の立体交差領域に対応する前記第１の電極を電位Ｖ３から前記所定期間電位Ｖ４（Ｖ４＜Ｖ３）とし、
前記所定の立体交差領域に対応する前記第２の電極を電位Ｖ２から、前記第１期間は電位Ｖ１（Ｖ１＞Ｖ２、Ｖ１＞Ｖ３）とし、前記第２期間は電位Ｖ５（Ｖ５＜Ｖ３）とし、
前記所定の立体交差領域に対応する前記第１の電極に隣接する第１の電極が発色のための制御が行われない場合に、前記所定期間に前記電位Ｖ３とされ、
前記第１期間において、前記所定の立体交差領域に対応する前記第２の電極と、前記所定の立体交差領域に対応しない前記第１の電極と、の間に蓄積された電荷が、前記第２期間で除去されるように制御することを特徴とする。
【００１１】
請求項２に記載の発明は、
請求項１に記載の表示装置において、
前記制御部は、
前記第１期間の長さと、前記第２期間の長さとが略同一となるよう制御し、
前記電位Ｖ１と前記電位Ｖ３との差｜Ｖ１−Ｖ３｜と、前記電位Ｖ３と前記電位Ｖ５との差｜Ｖ３−Ｖ５｜とが略同一となるよう制御することを特徴とする。
【００１２】
請求項３に記載の発明は、
請求項１又は２に記載の表示装置において、
前記制御部は、
前記電位Ｖ５が、Ｖ５≧Ｖ４となるよう制御することを特徴とすることを特徴とする。
【００１３】
請求項４に記載の発明は、
請求項１から請求項３の何れか一項に記載の表示装置において、
前記制御部は、
前記電位Ｖ２が、Ｖ２＜０となるよう制御し、
前記電位Ｖ３が、Ｖ３＞０となるよう制御することを特徴とする。
請求項５に記載の発明は、
請求項１から請求項４の何れか一項に記載の表示装置において、
発色させる前記所定の立体交差領域に対応する前記第１の電極に対して隣接する第１の電極に対応する立体交差領域を発色させない場合に、当該隣接する第１の電極は前記電位Ｖ３が維持されることを特徴とする。
【発明の効果】
【００１４】
本発明によれば、選択画素を形成する表示電極と非選択画素を形成する対向電極と間に第１期間で発生した電荷を、第２期間での通電によってほぼ除去することができるので、画像の滲みを的確に抑制することができ、高品質な画像の高速表示することが可能となる。
【図面の簡単な説明】
【００１５】
【図１】本発明を適用した一実施形態の表示装置の機能的構成を示すブロック図である。
【図２】図１の表示装置が備えるエレクトロクロミック表示デバイスの一例を模式的に示す図であり、（ａ）は平面図、（ｂ）は断面図である。
【図３】図１の表示装置が備えるエレクトロクロミック表示デバイスの他の一例を模式的に示す断面図である。
【図４】（ａ）は、図１の表示装置が備える第１電圧切替部の回路構成の一例を示す図、（ｂ）は、図１の表示装置が備える第２電圧切替部の回路構成の一例を示す図である。
【図５】図１の表示装置が備えるエレクトロクロミック表示デバイスに対する電圧印加の仕方の一例を説明するための図であり、（ａ）は選択画素を形成する表示電極と選択画素を形成する対向電極との間に印加される電圧、（ｂ）は選択画素を形成する表示電極と非選択画素を形成する対向電極との間に印加される電圧を示す。
【図６】選択画素を形成する表示電極と非選択画素を形成する対向電極との間に形成された非選択画素について説明するための図である。
【図７】実施例における電圧印加の仕方を説明するための図であり、（ａ）は選択画素を形成する表示電極と選択画素を形成する対向電極との間に印加される電圧、（ｂ）は選択画素を形成する表示電極と非選択画素を形成する対向電極との間に印加される電圧を示す。
【図８】比較例における電圧印加の仕方を説明するための図であり、（ａ）は選択画素を形成する表示電極と選択画素を形成する対向電極との間に印加される電圧、（ｂ）は選択画素を形成する表示電極と非選択画素を形成する対向電極との間に印加される電圧を示す。
【図９】実施例の結果を示す図である。
【図１０】比較例の結果を示す図である。
【図１１】従来のエレクトロクロミック表示デバイスに対する電圧印加の仕方を説明するための図である。
【発明を実施するための形態】
【００１６】
以下、図を参照して、本発明の実施の形態を詳細に説明する。ただし、発明の範囲は、図示例に限定されない。
【００１７】
（表示装置）
表示装置１０００は、エレクトロクロミック表示デバイス１００を備え、外部から入力された画像データに従って所与の表示処理を行う装置である。
具体的には、表示装置１０００は、例えば、図１に示すように、エレクトロクロミック表示デバイス１００と、第１電圧切替部２００…と、対向電極選択部３００と、第２電圧切替部４００…と、表示電極選択部５００と、制御部６００とを備えて構成される。
【００１８】
（エレクトロクロミック表示デバイス）
エレクトロクロミック表示デバイス１００は、例えば、図２に示すように、第１基板１０と、第１基板１０の上面に設けられた対向電極２０…と、第１基板１０の上方に第１基板１０に対向して設けられた第２基板３０と、第２基板３０の下面に設けられた表示電極４０…と、第１基板１０と第２基板３０との間に設けられたエレクトロクロミック組成物層５０とを備えて構成されるパッシブマトリクス駆動の表示素子である。
エレクトロクロミック表示デバイス１００は、対向電極２０…と表示電極４０…との間の通電によって表示を実施するとともに、対向電極２０…と表示電極４０…との間の当該表示のための通電とは逆方向の通電によって当該表示の消去を実施するように構成されている。
対向電極２０…は、例えば、互いに並行して延びる複数の電極である。表示電極４０…は、例えば、対向電極２０…と直交する方向に互いに並行して延びる複数の透明電極によりなる透明表示電極である。そして、対向電極２０…と表示電極４０…とが立体交差する領域に画素６０…が形成されている。
【００１９】
第１基板１０は、例えば、平面状に形成されており、エレクトロクロミック表示デバイス１００の基体としての機能を有する。
【００２０】
第１基板１０の材質は、電気的に絶縁性であれば、特に限定されるものではなく、例えば、ガラスやプラスチックを用いることができる。ガラスとしては、例えば、ソーダライム系ガラス、低アルカリ・ホウケイ酸ガラス、無アルカリ・ホウケイ酸ガラス、無アルカリ・アルミノケイ酸ガラス、石英ガラス等が挙げられる。また、プラスチックとしては、例えば、ポリエチレンテレフタレート、ポリエチレンナフタレート等のポリエステル類、ポリアミド類、ポリカーボネート類、ポリフッ化ビニリデン等のフッ素ポリマー類、ポリエーテル類、ポリスチレン、ポリエチレン等のポリオレフィン類、ポリイミド類等が挙げられる。
【００２１】
第１基板１０は、白色に見えるのが好ましい。したがって、第１基板１０の材質をガラスやプラスチックとした場合、例えば、二酸化チタン、硫酸バリウム、カオリン等の白色顔料を配合することによって、白色に見える第１基板１０を形成することができる。また、透明基板の下面に、前記白色顔料を塗布したり、白色紙や白色ＰＥＴシート等の白色シートを配置したりすることによって、白色に見える第１基板１０を形成することができる。
【００２２】
対向電極２０…は、例えば、幅を有するライン状に形成されており、互いに平行な等間隔の縞状に設けられている。
対向電極２０…は、エレクトロクロミック組成物層５０に接するように、且つ、表示電極４０…に対向してエレクトロクロミック組成物層５０を挟むように、第１基板１０の上面に設けられている。
対向電極２０…は、表示電極４０…と対になり、エレクトロクロミック組成物層５０に通電する機能を有する。
対向電極２０…は、表示電極４０…と立体交差、すなわち、間隔を有して交差し、その交点の領域に画素６０を形成している。
【００２３】
対向電極２０は、少なくとも表面が酸化されているもの、或いは、導電体であって、かつ、耐蝕性など電気化学的に安定なものであれば、透明電極であっても、不透明電極であってもよく、特に限定されるものではない。具体的には、対向電極２０としては、例えば、ＩＴＯ薄膜、ＳｎＯ２やＩｎＯ２等の酸化被膜をコーティングした薄膜、ＩＴＯ薄膜にＳｎやＳｂをドーピングしたもの、ＳｎＯ２やＩｎＯ２等の酸化被膜をコーティングした薄膜にＳｎやＳｂをドーピングしたもの、酸化亜鉛薄膜、酸化マグネシウム薄膜、酸化アルミニウム薄膜、酸化クロム薄膜、酸化ニッケル薄膜、酸化チタン薄膜、金薄膜、白金薄膜、カーボン薄膜等を挙げることができる。また、金薄膜など電気化学的に安定な導電体薄膜の上にＩＴＯ薄膜等を被覆するなど、表面酸化薄膜と前記耐蝕性導電体とを組み合わせ用いても良い。
【００２４】
第２基板３０は、例えば、平面状に形成された透明基板であり、表示電極４０…の支持体としての機能を有する。
【００２５】
第２基板３０の材質は、電気的に絶縁性の透明基板であれば、特に限定されるものではなく、例えば、ガラスやプラスチックを用いることができる。ガラスとしては、例えば、ソーダライム系ガラス、低アルカリ・ホウケイ酸ガラス、無アルカリ・ホウケイ酸ガラス、無アルカリ・アルミノケイ酸ガラス、石英ガラス等が挙げられる。また、プラスチックとしては、例えば、ポリエチレンテレフタレート、ポリエチレンナフタレート等のポリエステル類、ポリアミド類、ポリカーボネート類、ポリフッ化ビニリデン等のフッ素ポリマー類、ポリエーテル類、ポリスチレン、ポリエチレン等のポリオレフィン類、ポリイミド類等が挙げられる。
【００２６】
表示電極４０…は、例えば、幅を有するライン状に形成された透明電極であり、互いに平行な等間隔の縞状に設けられている。
表示電極４０…は、エレクトロクロミック組成物層５０に接するように、且つ、対向電極２０…に対向してエレクトロクロミック組成物層５０を挟むように、第２基板３０の下面に設けられている。
表示電極４０…は、対向電極２０…と対になり、エレクトロクロミック組成物層５０に通電する機能を有する。
表示電極４０…は、対向電極２０…と立体交差、すなわち、間隔を有して交差し、その交点の領域に画素６０を形成している。
【００２７】
表示電極４０は、少なくとも表面が酸化された透明電極であれば、特に限定されるものではない。具体的には、表示電極４０としては、例えば、ＩＴＯ薄膜、ＳｎＯ２やＩｎＯ２等の酸化被膜をコーティングした薄膜、ＩＴＯ薄膜にＳｎやＳｂをドーピングしたもの、ＳｎＯ２やＩｎＯ２等の酸化被膜をコーティングした薄膜にＳｎやＳｂをドーピングしたもの、酸化亜鉛薄膜、酸化マグネシウム薄膜等を挙げることができる。また、ＩＴＯや酸化亜鉛、酸化マグネシウム、酸化アルミニウム、酸化クロム、酸化ニッケル、酸化チタン等の酸化被膜をコーティングした薄膜等であっても良い。
【００２８】
エレクトロクロミック組成物層５０は、例えば、スペーサ５１と、スペーサ５１に保持されたエレクトロクロミック組成物５２と、等を備えて構成される。
エレクトロクロミック組成物層５０の厚みは、特に限定されるものではないが、好ましくは１０μｍ〜５００μｍ、より好ましくは３０μｍ〜２００μｍに設定することによって、エレクトロクロミック組成物５２の表示機能を効果的に発現させることができる。
【００２９】
スペーサ５１は、第１基板１０と第２基板３０との間に、一定の体積で、エレクトロクロミック組成物５２を保持する役割を有する。すなわち、スペーサ５１は、エレクトロクロミック組成物５２を含むことによって、エレクトロクロミック組成物５２を第１基板１０と第２基板３０との間で支えるとともに、スペーサ５１の厚みによって、エレクトロクロミック組成物５２の量を均一に制御する役割を有する。
【００３０】
スペーサ５１としては、上述した役割を果たすものであれば任意であり、例えば、多孔性の板状体やシート状体、粒状体（多孔性であっても非多孔性であっても良い）等が挙げられる。
【００３１】
スペーサ５１が多孔性の板状体やシート状体である場合、例えば、スペーサ５１の細孔内にエレクトロクロミック組成物５２を導入することによって、エレクトロクロミック組成物層５０を形成する。この場合、対向電極２０…（対向電極２０…が設置された第１基板１０）と表示電極４０…（表示電極４０…が設置された第２基板３０）とでスペーサ５１を挟んだ後に、当該スペーサ５１の細孔内にエレクトロクロミック組成物５２を導入してエレクトロクロミック組成物層５０を形成しても良いし、スペーサ５１の細孔内にエレクトロクロミック組成物５２を導入してエレクトロクロミック組成物層５０を形成した後に、当該エレクトロクロミック組成物層５０を、対向電極２０…と表示電極４０…とで挟んでも良い。
ここで、多孔性の板状体やシート状体としては、エレクトロクロミック表示デバイス１００の表示性能向上等の観点から、第１基板１０及び第２基板３０に対して略垂直方向に貫通する細孔を有するものが好ましく、具体的には、例えば、陽極酸化アルミナやメッシュ（ネット）状シート材等が挙げられるが、これらに限定されるものではない。
【００３２】
また、スペーサ５１が粒状体である場合、例えば、スペーサ５１とエレクトロクロミック組成物５２とを混ぜてペースト状にしたものを、対向電極２０…と表示電極４０…とで挟むことによって、エレクトロクロミック組成物層５０を形成する。
【００３３】
エレクトロクロミック組成物５２は、支持電解質と、極性溶剤と、ロイコ染料と、を含んでいる。
そして、エレクトロクロミック組成物５２には、エレクトロクロミック表示デバイス１００の表示品質の劣化を抑制するための表示品質劣化抑制剤（ハイドロキノン誘導体及び／又はカテコール誘導体、フェロセン誘導体並びにカルボニル基を有する化合物）と、対向電極２０…と表示電極４０…との間の消去のための通電時にロイコ染料を吸着する吸着剤５３と、が添加されている。
また、エレクトロクロミック組成物５２に添加可能な成分としては、例えば、エレクトロクロミック組成物５２の物性（例えば、増粘等）を調整するためのポリマー化合物等が挙げられる。
【００３４】
エレクトロクロミック組成物５２は、エレクトロクロミック表示デバイス１００の表示にかかる発色及び消色の機能を有する。
具体的には、エレクトロクロミック組成物５２は、対向電極２０…と表示電極４０…との間の通電によって発色し、発色のための通電とは逆方向の通電によって、或いは、発色のための通電を遮断することによって消色する。
エレクトロクロミック組成物５２は、流動性があれば良く、例えば、低粘度の液体状であっても良いし、高粘度のペースト状であっても良いし、流動性の小さいゲル状であっても良い。
【００３５】
エレクトロクロミック組成物５２の構成成分である支持電解質は、エレクトロクロミック組成物５２内を電流が流れ易くするための機能を有する。支持電解質は、一般に溶融塩と称する化合物を含む。支持電解質は、各化合物を単独で用いても良いし、複数を混合して用いても良い。
支持電解質は、エレクトロクロミック組成物５２全体の重量に対して、０．０１〜２０重量％となるように添加することが好ましく、前記機能の十分な発現のためには、０．１〜２０重量％となるように添加することがより好ましい。
【００３６】
具体的には、支持電解質は、前記機能を有する化合物であれば、特に限定されるものではなく、例えば、第１の支持電解化合物及び／又は第２の支持電解化合物が挙げられる。
第１の支持電解化合物としては、例えば、ＮａＣｌＯ４、ＬｉＣｌＯ４、ＫＣｌＯ４、ＲｂＣｌＯ４、ＣｓＣｌＯ４、ＮＨ４ＣｌＯ４、ＬｉＢＦ４、ＬｉＰＦ６等が挙げられるが、これらに限定されるものではない。
また、第２の支持電解化合物としては、例えば、（ＣＨ３）４ＮＣｌＯ４、（Ｃ２Ｈ５）４ＮＣｌＯ４、（ｎ−Ｃ４Ｈ９）４ＮＣｌＯ４、（ＣＨ３）４ＮＢＦ４、（Ｃ２Ｈ５）４ＮＢＦ４、（ｎ−Ｃ４Ｈ９）４ＮＢＦ４、（ＣＨ３）４ＮＣｌ、（Ｃ２Ｈ５）４ＮＣｌ、（ＣＨ３）４ＮＢｒ、（Ｃ２Ｈ５）４ＮＢｒ、（ｎ−Ｃ４Ｈ９）４ＮＢｒ、（ｎ−Ｃ４Ｈ９）４ＮＩ、Ｃ６Ｈ５（ＣＨ３）３ＮＣｌＯ４、Ｃ６Ｈ５（Ｃ２Ｈ５）３ＮＣｌＯ４、Ｃ８Ｈ１７（ＣＨ３）３ＮＣｌＯ４、（Ｃ２Ｈ５）４ＮＰＦ６、（ｎ−Ｃ４Ｈ９）４ＮＰＦ６、（ＣＨ３）４ＮＣＦ３ＳＯ３、（Ｃ２Ｈ５）４ＮＣＦ３ＳＯ３等が挙げられるが、これらに限定されるものではない。
【００３７】
エレクトロクロミック組成物５２の構成成分である極性溶剤は、支持電解質を用い通電性を示す有機溶媒の少なくとも１種であり、ロイコ染料の消色を電圧及び／又は電流の遮断により促進する機能を有する。また、極性溶剤は、エレクトロクロミック組成物５２にポリマー化合物を添加する場合に、そのポリマー化合物の溶剤としての機能も果たす。極性溶剤は、各種を単独で用いても良いし、適宜２種類以上を組み合わせて用いても良い。
【００３８】
以下に、好適な極性溶剤の例を示すが、これらは例示であり、極性溶剤を限定するものではない。
極性溶剤の具体例としては、例えば、Ｎ−メチルピロリドン、ジメチルホルムアミド、ジエチルホルムアミド、Ｎ，Ｎ−ジメチルアセトアミド、プロピレンカーボネート、ジメチルスルフォキシド、γ-ブチロラクトン、アセトニトリル、プロピオニトリル、ブチロニトリル等が挙げられる。例示した極性溶剤は、何れもエレクトロクロミック組成物５２の構成成分として用いる極性溶剤として好ましいものであるが、特に好ましいものとしてはＮ，Ｎ−ジメチルアセトアミド、プロピレンカーボネート、ジメチルスルフォキシドが挙げられる。
【００３９】
エレクトロクロミック組成物５２の構成成分であるロイコ染料は、無色又は淡色の電子供与性染料前駆体であり、フェノール性化合物等の顕色剤、酸性物質、電子受容性物質によって発色する化合物である。
ロイコ染料としては、例えば、部分骨格にラクトン、ラクタム、スルトン、スピロピラン、エステル又はアミド構造を有する実用上無色となりうる化合物等が挙げられる。具体的には、例えば、トリアリルメタン化合物、ビスフェニルメタン化合物、キサンテン化合物、フルオラン化合物、チアジン化合物、スピロピラン化合物等が挙げられるが、これらに限定されるものではない。
【００４０】
ロイコ染料は、前記化合物の中から適宜選択することによって、各種カラーの発色を行うことができる。したがって、ロイコ染料を用いたエレクトロクロミック表示デバイス１００の表示色は、ロイコ染料によって適宜選択することができる。具体的には、例えば、ブラックに発色するロイコ染料を用いる場合は、白黒及びグレー表示が可能となる。
【００４１】
ロイコ染料の配合量は、ロイコ染料の溶解度に依存するため、一概に表すことは難しいが、ロイコ染料は、発色のために充分な量が配合されている必要がある。溶解度が小さいロイコ染料の場合は、必要な量が含まれるように、例えば、各画素６０に対応するエレクトロクロミック組成物層５０の体積（スペーサ５１の厚み）を大きくする等して、ロイコ染料の配合量を調節すると良い。
【００４２】
エレクトロクロミック組成物５２に添加される表示品質劣化抑制剤は、ロイコ染料の発色、消色の繰り返し動作に伴うエレクトロクロミック表示デバイス１００の表示品質の劣化を抑制する機能を有する化合物である。
表示品質劣化抑制剤の添加量は、ロイコ染料の含有量に対して、１〜２０重量％となるように添加することが好ましく、前記機能の十分な発現のためには、５〜２０重量％となるように添加することが好ましい。
【００４３】
表示品質劣化抑制剤は、第１の表示品質劣化抑制化合物（ハイドロキノン誘導体及び／又はカテコール誘導体）と、第２の表示品質劣化抑制化合物（フェロセン誘導体）と、第３の表示品質劣化抑制化合物（カルボニル基を有する化合物（アセトフェノン誘導体及び／又はジベンゾイル誘導体））と、の混合物である。
【００４４】
エレクトロクロミック組成物５２に添加される吸着剤５３は、例えば、酸化アルミニウム及び／又は水酸化アルミニウムである。
吸着剤５３（酸化アルミニウム及び／又は水酸化アルミニウム）の添加の態様は、特に限定されるものではないが、エレクトロクロミック組成物５２中に粉末で添加し、超音波やボールミル、ホモミキサー等のホモジナイザーを用いて均一に分散し、エレクトロクロミック組成物５２溶液の分散液として用いることが好ましい。また、当該分散液を対向電極２０…上に塗布し、例えば、図３に示すように、吸着剤５３の層（吸着層）として用いることもできる。
【００４５】
吸着剤５３の添加量は、用いる酸化アルミニウム及び／又は水酸化アルミニウムの活性度、粒径等により異なる。
αアルミナのように表面積の小さい酸化アルミニウム、１０μｍ以上の粒径を有する大きな酸化アルミニウム、表面積の小さい水酸化アルミニウム、１０μｍ以上の粒径を有する水酸化アルミニウムは、ロイコ染料の吸着効果が小さく、十分な吸着動作を発現するためには、１グラムのロイコ染料に対して、０．５グラム〜５グラム、好ましくは１グラム〜３グラムの添加が好ましい。
また、γアルミナのように表面積の大きい酸化アルミニウム、１μｍ以下の粒径を有する小さい酸化アルミニウム、表面積の大きい水酸化アルミニウム、１μｍ以下の粒径を有する小さい酸化アルミニウムは、ロイコ染料の吸着効果が大きいため、１グラムのロイコ染料に対して、０．１グラム〜０．５グラムの添加で、十分な吸着動作を発現する。
また、薄層クロマトグラフィ等に用いられる活性アルミナの類は、数１０μｍの粒径を有する大粒子であっても、１グラムのロイコ染料に対して、０．１グラム〜０．５グラムの添加で、十分な吸着動作を発現する。
【００４６】
ロイコ染料を吸着する吸着剤５３は、化成品にて容易に入手できる。
以下に、好適な市販の吸着剤５３の例を示すが、これらは例示であり、吸着剤５３を限定するものではない。
市販の吸着剤５３の具体例としては、例えば、メルク社製薄層クロマト用酸化アルミニウム６０ＧＮｅｕｔｒａｌ（粒径４μｍ〜５０μｍ）、日本軽金属製ローソーダアルミナＬＳ２３５（粒径０．４７μｍ），活性アルミナＣ２００（粒径４．４μｍ），水酸化アルミニウムＢ１４０３（粒径１．５μｍ）、住友化学製γアルミナＫＣ５０１（粒径１μｍ）、川研ファインケミカル株式会社製アルミゾル−Ａ２等が挙げられる。
【００４７】
エレクトロクロミック組成物５２に添加されるポリマー化合物は、エレクトロクロミック組成物５２の粘度を高め、その取り扱いを容易にする機能を有する。ポリマー化合物は各種を単独で用いても良いし、適宜２種類以上を組み合わせて用いても良い。
ポリマー化合物は、エレクトロクロミック組成物５２の粘度を高めるために用いるが、この場合のエレクトロクロミック組成物５２の性状は、低粘度の液体状、高粘度のペースト状、流動性の小さいゲル状、とすることができる。
ポリマー化合物の好ましい配合量は、エレクトロクロミック組成物５２全体の重量に対して、０．１〜８０重量％とすることが好ましい。
【００４８】
以下に、好適なポリマー化合物の例を示すが、これらは例示であり、ポリマー化合物を限定するものではない。
ポリマー化合物の具体例としては、例えば、ポリフッ化ビニリデン、ポリ塩化ビニリデン、ポリエチレンオキサイド等のポリアルキレンオキサイド、又は、ポリアルキレンイミン、ポリアルキレンスルフィドの繰返し単位を有する高分子、ポリメチルメタクリレート、ポリアクリロニトリル、ポリカーボネート、ポリビニルブチラールのごときポリビニルホルマール等が挙げられる。特に好ましいものとしては、ポリビニルブチラール、ポリフッ化ビニリデンが挙げられる。
【００４９】
以上に説明したエレクトロクロミック組成物５２は、一例であり、その他にも電気化学的な発色が可能な組成物であれば、これをスペーサ５１により保持したものをエレクトロクロミック組成物層５０として用いることが可能である。
【００５０】
（第１電圧切替部）
表示装置１０００は、例えば、図１に示すように、複数（例えば、エレクトロクロミック表示デバイス１００が備える対向電極２０の本数と同数）の第１電圧切替部２００を備えている。
第１電圧切替部２００は、例えば、当該第１電圧切替部２００と接続する対向電極２０に印加する電圧を切り替える。
具体的には、第１電圧切替部２００は、例えば、図４（ａ）に示すように、正電圧を出力する第１正電圧電源２０１と、スイッチとして機能する第１Ｐチャンネルトランジスタ２０２と、負電圧を出力する第１負電圧電源２０３と、スイッチとして機能する第１Ｎチャンネルトランジスタ２０４とを備えて構成される。
【００５１】
第１正電圧電源２０１は、例えば、対向電極選択部３００によりＯＮ／ＯＦＦされるように構成されている。第１正電圧電源２０１がＯＮされると、第１Ｐチャンネルトランジスタ２０２の一端（ソース）に正電圧が印加される。
第１Ｐチャンネルトランジスタ２０２は、例えば、ゲートがゲート端子２００ａに接続され、一端（ソース）が第１正電圧電源２０１に接続され、他端（ドレイン）がエレクトロクロミック表示デバイス１００の対向電極２０と接続する出力端子２００ｂに接続されている。
【００５２】
第１負電圧電源２０３は、例えば、対向電極選択部３００によりＯＮ／ＯＦＦされるように構成されている。第１負電圧電源２０３がＯＮされると、第１Ｎチャンネルトランジスタ２０４の一端（ソース）の負電圧が印加される。
第１Ｎチャンネルトランジスタ２０４は、例えば、ゲートがゲート端子２００ａに接続され、一端（ソース）が第１負電圧電源２０３に接続され、他端（ドレイン）がエレクトロクロミック表示デバイス１００の対向電極２０と接続する出力端子２００ｂに接続されている。
【００５３】
（対向電極選択部）
対向電極選択部３００は、例えば、制御部６００からの制御信号に従って、第１電圧切替部２００を制御することにより、対向電極２０（ライン電極）に正電圧や負電圧を印加する。
【００５４】
具体的には、対向電極選択部３００は、例えば、所定の正電圧を第１電圧切替部２００のゲート端子２００ａに印加するとともに、第１正電圧電源２０１をＯＮする。これにより、第１Ｐチャンネルトランジスタ２０２のゲートに当該所定の正電圧が印加されるとともに、第１Ｐチャンネルトランジスタ２０２の一端（ソース）に第１正電圧電源２０１からの正電圧が印加されるため、第１Ｐチャンネルトランジスタ２０２がＯＮされて、出力端子２００ｂを介して対向電極２０に正電圧が印加される。これにより、対向電極２０の電位が所定のプラス電位（例えば、電位Ｖ３）になる。
一方、対向電極選択部３００は、例えば、所定の負電圧を第１電圧切替部２００のゲート端子２００ａに印加するとともに、第１負電圧電源２０３をＯＮする。これにより、第１Ｎチャンネルトランジスタ２０４のゲートに当該所定の負電圧が印加されるとともに、第１Ｎチャンネルトランジスタ２０４の一端（ソース）に第１負電圧電源２０３からの負電圧が印加されるため、第１Ｎチャンネルトランジスタ２０４がＯＮされて、出力端子２００ｂを介して対向電極２０に負電圧が印加される。これにより、対向電極２０の電位が所定のマイナス電位（例えば、電位Ｖ４）になる。
【００５５】
（第２電圧切替部）
表示装置１０００は、例えば、図１に示すように、複数（例えば、エレクトロクロミック表示デバイス１００が備える表示電極４０の本数と同数）の第２電圧切替部４００を備えている。
第２電圧切替部４００は、例えば、当該第２電圧切替部４００と接続する表示電極４０に印加する電圧を切り替える。
具体的には、第２電圧切替部４００は、例えば、図４（ｂ）に示すように、正電圧を出力する第２正電圧電源４０１と、スイッチとして機能する第２Ｐチャンネルトランジスタ４０２と、負電圧を出力する第２負電圧電源４０３と、スイッチとして機能する第２Ｎチャンネルトランジスタ４０４とを備えて構成される。
【００５６】
第２正電圧電源４０１は、例えば、表示電極選択部５００によりＯＮ／ＯＦＦされるように構成されている。第２正電圧電源４０１がＯＮされると、第２Ｐチャンネルトランジスタ４０２の一端（ソース）に正電圧が印加される。
第２Ｐチャンネルトランジスタ４０２は、例えば、ゲートがゲート端子４００ａに接続され、一端（ソース）が第２正電圧電源４０１に接続され、他端（ドレイン）がエレクトロクロミック表示デバイス１００の表示電極４０と接続する出力端子４００ｂに接続されている。
【００５７】
第２負電圧電源４０３は、例えば、表示電極選択部５００によりＯＮ／ＯＦＦされるように構成されている。第２負電圧電源４０３がＯＮされると、第２Ｎチャンネルトランジスタ４０４の一端（ソース）の負電圧が印加される。
第２Ｎチャンネルトランジスタ４０４は、例えば、ゲートがゲート端子４００ａに接続され、一端（ソース）が第２負電圧電源４０３に接続され、他端（ドレイン）がエレクトロクロミック表示デバイス１００の表示電極４０と接続する出力端子４００ｂに接続されている。
【００５８】
（表示電極選択部）
表示電極選択部５００は、例えば、制御部６００からの制御信号に従って、第２電圧切替部４００を制御することにより、表示電極４０（データ電極）に正電圧や負電圧を印加する。
【００５９】
具体的には、表示電極選択部５００は、例えば、所定の正電圧を第２電圧切替部４００のゲート端子４００ａに印加するとともに、第２正電圧電源４０１をＯＮする。これにより、第２Ｐチャンネルトランジスタ４０２のゲートに当該所定の正電圧が印加されるとともに、第２Ｐチャンネルトランジスタ４０２の一端（ソース）に第２正電圧電源４０１からの正電圧が印加されるため、第２Ｐチャンネルトランジスタ４０２がＯＮされて、出力端子４００ｂを介して表示電極４０に正電圧が印加される。これにより、表示電極４０の電位が所定のプラス電位（例えば、電位Ｖ１）になる。
一方、表示電極選択部５００は、例えば、所定の負電圧を第２電圧切替部４００のゲート端子４００ａに印加するとともに、第２負電圧電源４０３をＯＮする。これにより、第２Ｎチャンネルトランジスタ４０４のゲートに当該所定の負電圧が印加されるとともに、第２Ｎチャンネルトランジスタ４０４の一端（ソース）に第２負電圧電源４０３からの負電圧が印加されるため、第２Ｎチャンネルトランジスタ４０４がＯＮされて、出力端子４００ｂを介して表示電極４０に負電圧が印加される。これにより、表示電極４０の電位が所定のマイナス電位（例えば、電位Ｖ２や電位Ｖ５）になる。
【００６０】
（制御部）
制御部６００は、例えば、ＣＰＵ（Central Processing Unit）、ＲＯＭ（Read Only Memory）、ＲＡＭ（Random Access Memory）等を備えて構成され、表示装置１０００を構成する各部の動作を集中制御する。
制御部６００は、エレクトロクロミック表示デバイス１００に所定の画像を表示させる表示制御手段として機能する。
【００６１】
（表示動作）
制御部６００は、例えば、外部から入力される画像データに基づいて、対向電極選択部３００及び表示電極選択部５００を制御して、第１電圧切替部２００及び第２電圧切替部４００を介して、パッシブマトリクス駆動によりエレクトロクロミック表示デバイス１００に当該画像データに基づく画像を表示させる。
本実施形態の制御部６００による、エレクトロクロミック表示デバイス１００に対する電圧印加の仕方について、図５（ａ）、（ｂ）を参照して説明する。
図５（ａ）は、選択画素６０ａを形成する表示電極４０と、選択画素６０ａを形成する対向電極２０との間に印加される電圧を示している。
また、図５（ｂ）は、選択画素６０ａを形成する表示電極４０と、非選択画素６０ｂを形成する対向電極２０との間に印加される電圧を示している。
【００６２】
具体的には、制御部６００は、まず、各表示電極４０の電位が電位Ｖ２となるとともに、各対向電極２０の電位が電位Ｖ３となるよう制御する。
次いで、制御部６００は、表示を実施する際、発色させる画素６０を選択し、選択した画素６０（選択画素６０ａ）を形成する対向電極２０と当該選択画素６０ａを形成する表示電極４０との間に電圧を印加して、表示のための通電（画素６０を発色させるための通電）を行う。この際、制御部６００は、例えば、図５（ａ）、（ｂ）に示すように、当該表示のための通電を行う期間を２つの期間に分割する。そして、例えば、図５（ａ）に示すように、制御部６００は、最初の第１期間Ｐ１では、選択画素６０ａを形成する表示電極４０の電位が電位Ｖ１（Ｖ１＞Ｖ２、Ｖ１＞Ｖ３）となるとともに、当該選択画素６０ａを形成する対向電極２０の電位が電位Ｖ４（Ｖ４＜Ｖ３）となるよう制御し、次の第２期間Ｐ２では、当該対向電極２０の電位が電位Ｖ４のまま維持されるとともに、当該表示電極４０の電位が電位Ｖ５（Ｖ５＜Ｖ３）となるよう制御する。また、制御部６００は、第１期間Ｐ１や第２期間Ｐ２では、選択されていない画素６０（非選択画素６０ｂ）を形成する表示電極４０の電位が電位Ｖ２のまま維持されるとともに、非選択画素６０ｂを形成する対向電極２０の電位が電位Ｖ３のまま維持されるよう制御する。
【００６３】
より具体的には、対向電極選択部３００は、制御部６００からの制御信号に従って、１行目（例えば、図２における一番上の対向電極２０）→２行目→３行目→…の順に対向電極２０を選択して、例えば、図５（ａ）に示すように、最初の第１期間Ｐ１では、当該選択した対向電極２０の電位が電位Ｖ３から電位Ｖ４に切り替わるよう負電圧を印加し、次の第２期間Ｐ２では、第１期間Ｐ１での状態を維持する。そして、第２期間Ｐ２が終了すると、対向電極選択部３００は、当該選択した対向電極２０の電位が電位Ｖ４から電位Ｖ３に戻るよう正電圧を印加し、次の行の対向電極２０を選択する。なお、対向電極選択部３００は、同時に複数の対向電極２０を選択しないように構成されている。
【００６４】
一方、表示電極選択部５００は、制御部６００からの制御信号に従って、対向電極選択部３００による対向電極２０の選択と同期して、表示電極４０を選択する。すなわち、例えば、表示電極選択部５００は、対向電極選択部３００が１行目の対向電極２０を選択するタイミングと略同じタイミングで、１行目の発色すべき画素６０を形成する表示電極４０を選択する。そして、表示電極選択部５００は、例えば、図５（ａ）に示すように、最初の第１期間Ｐ１では、当該選択した表示電極４０の電位が電位Ｖ２から電位Ｖ１に切り替わるよう正電圧を印加し、次の第２期間Ｐ２では、当該選択した表示電極４０の電位が電位Ｖ１から電位Ｖ５に切り替わるよう負電圧を印加する。そして、第２期間Ｐ２が終了すると、表示電極選択部５００は、当該選択した表示電極４０の電位が電位Ｖ５から電位Ｖ２に戻るよう負電圧を印加し、対向電極選択部３００が２行目の対向電極２０を選択するタイミングと略同じタイミングで、２行目の発色すべき画素６０を形成する表示電極４０を選択する。
【００６５】
ここで、選択画素６０ａを形成する表示電極４０と当該選択画素６０ａを形成する対向電極２０との間には、例えば、図５（ａ）に示すように、最初の第１期間Ｐ１で電位差「Ｖ１−Ｖ４」（＞０）の電圧が印加され、次の第２期間Ｐ２で電位差「Ｖ５−Ｖ４」の電圧が印加される。
また、選択画素６０ａを形成する表示電極４０と非選択画素６０ｂを形成する対向電極２０との間には、例えば、図５（ｂ）に示すように、最初の第１期間Ｐ１で電位差「Ｖ１−Ｖ３」（＞０）の電圧が印加され、次の第２期間Ｐ２で電位差「Ｖ５−Ｖ３」（＜０）の電圧が印加される。したがって、非選択画素６０ｂのうち、選択画素６０ａを形成する表示電極４０と非選択画素６０ｂを形成する対向電極２０とにより形成される非選択画素６０ｂ１（図６参照）には、第１期間Ｐ１で、画素６０を発色させるための通電（選択画素６０ａを形成する表示電極４０と当該選択画素６０ａを形成する対向電極２０との間に対する、第１期間Ｐ１での通電）と同じ方向の電流が流れる。そのため、選択画素６０ａを形成する表示電極４０と非選択画素６０ｂを形成する対向電極２０と間に第１期間Ｐ１で蓄積された電荷を除去しなければ、当該電荷が残存し、画像の滲みの原因になってしまう。
【００６６】
そこで、制御部６００は、第１期間Ｐ１の長さ及び第２期間Ｐ２の長さと、電位Ｖ１、電位Ｖ３及び電位Ｖ５とを、第１期間Ｐ１で選択画素６０ａを形成する表示電極４０と非選択画素６０ｂを形成する対向電極２０との間に蓄積された電荷が第２期間Ｐ２でほぼ除去される値となるよう制御するように構成されている。
具体的には、制御部６００は、例えば、第１期間Ｐ１の長さと、第２期間Ｐ２の長さとが略同一となるよう制御するとともに、電位Ｖ１と電位Ｖ３との差｜Ｖ１−Ｖ３｜と、電位Ｖ３と電位Ｖ５との差｜Ｖ３−Ｖ５｜とが略同一となるよう制御するように構成されている。
これにより、選択画素６０ａを形成する表示電極４０と非選択画素６０ｂを形成する対向電極２０と間に第１期間Ｐ１で蓄積された電荷を、第２期間Ｐ２での通電によってほぼ除去することができるので、当該電荷が残存することを防止することが可能となる。
特に、非選択画素６０ｂを形成する対向電極２０の電位等を制御して、第１期間Ｐ１で選択画素６０ａを形成する表示電極４０と非選択画素６０ｂを形成する対向電極２０との間に蓄積される電荷の量を確実に把握することで、これらの電極間に蓄積された電荷が確実に除去されるよう、選択画素６０ａを形成する表示電極４０の電位や、第１期間Ｐ１の長さ、第２期間Ｐ２の長さ等を制御することが可能となる。したがって、非選択画素６０ｂを形成する対向電極２０の電位等を制御しない場合と比較して、これらの電極間に電荷が残存することを確実に防止することが可能となる。その結果、画像の滲みを的確に抑制することができ、高品質な画像を表示することが可能となる。
なお、図５（ｂ）や後述する図７（ｂ）に示す一点鎖線は、電位差「Ｖ１−Ｖ３」と電位差「Ｖ５−Ｖ３」との関係を明確にするために便宜上表示した線であり、選択画素６０ａを形成する表示電極４０の電位がＶ３になる場合があることを示す線ではない。
【００６７】
また、制御部６００は、電位Ｖ５が、Ｖ５≧Ｖ４となるよう制御するように構成されている。
これにより、選択画素６０ａを形成する表示電極４０と当該選択画素６０ａを形成する対向電極２０との間に、画素６０を発色させるための通電と同じ方向の電流が第２期間Ｐ２においても流れるので、画素６０を発色させるための通電とは逆方向の通電を第２期間Ｐ２で行う場合と比較して、コントラスト比が維持され、より高品質な画像を表示することが可能となる。
なお、電位Ｖ５は、Ｖ５≧Ｖ４であれば適宜任意に変更可能であり、第１期間Ｐ１と第２期間Ｐ２とが略同じ場合、好ましくは−Ｖ１×０．７≦Ｖ５＜０（ただし、Ｖ１＞０）であり、より好ましくは−Ｖ１×０．８≦Ｖ５＜０（ただし、Ｖ１＞０）である。
【００６８】
また、制御部６００は、電位Ｖ２が、Ｖ２＜０となるよう制御するとともに、電位Ｖ３が、Ｖ３＞０となるよう制御するように構成されている。
これにより、非選択画素６０ｂを形成する表示電極４０と非選択画素６０ｂを形成する対向電極２０との間には、画素６０を発色させるための通電とは逆方向の電流が流れるので、残存する電荷を確実に除去することができる。したがって、画像の滲みをより的確に抑制することができ、より高品質な画像を表示することが可能となる。
【００６９】
エレクトロクロミック表示デバイス１００に画像を表示させる表示動作の一例について、より具体的に説明する。
まず、制御部６００は、１行目のライン（１行目の対向電極２０）を選択し、最初の第１期間Ｐ１で、当該選択した１行目の対向電極２０の電位が電位Ｖ３から電位Ｖ４に切り替わるよう負電圧を印加させるとともに、１行目のライン上の画素６０のうちの選択画素６０ａを形成する表示電極４０の電位が電位Ｖ２（例えば、Ｖ２＝−Ｖ３）から電位Ｖ１（例えば、Ｖ１＝−Ｖ４）に切り替わるよう正電圧を印加させて、これらの電極間に電位差「Ｖ１−Ｖ４」（＞０）の電圧を印加する。
次いで、制御部６００は、次の第２期間Ｐ２で、当該対向電極２０の電位が電位Ｖ４のまま維持されるよう負電圧を印加させるとともに、当該表示電極４０の電位が電位Ｖ１から電位Ｖ５（例えば、Ｖ４＜Ｖ５＜Ｖ２）に切り替わるよう負電圧を印加させて、これらの電極間に電位差「Ｖ５−Ｖ４」（＞０）の電圧を印加する。
次いで、第２期間Ｐ２が終了すると、制御部６００は、当該対向電極２０の電位が電位Ｖ４から電位Ｖ３に戻るよう正電圧を印加させるとともに、当該表示電極４０の電位が電位Ｖ５から電位Ｖ２に戻るよう負電圧を印加させる。
【００７０】
電位差「Ｖ１−Ｖ４」の電圧が印加されている画素６０（すなわち、選択画素６０ａ）では、エレクトロクロミック組成物５２を介して表示電極４０から対向電極２０へと電流が流れ、エレクトロクロミック組成物層５０と表示電極４０との界面（表示電極４０の表面）にてエレクトロクロミック組成物５２が電気化学的な変化を起こすため、１行目のライン上の選択画素６０ａは発色する。
また、非選択画素６０ｂのうち、選択画素６０ａを形成する表示電極４０と非選択画素６０ｂを形成する対向電極２０との間に形成される非選択画素６０ｂ１には、第１期間Ｐ１において、電位差「Ｖ１−Ｖ３」の電圧が印加されるため、エレクトロクロミック組成物５２を介して表示電極４０から対向電極２０へと電流が流れ、第２期間Ｐ２において、電位差「Ｖ５−Ｖ３」（≒−（Ｖ１−Ｖ３））の電圧が印加されるため、エレクトロクロミック組成物５２を介して対向電極２０から表示電極４０へと電流が流れる。また、第１期間Ｐ１の長さと第２期間Ｐ２の長さとは略同じとなるように制御されている。したがって、当該非選択画素６０ｂ１を形成する電極間では、電位差「Ｖ１−Ｖ３」の電圧の印加に伴って電荷が発生して蓄積するが、その直後に電位差「Ｖ５−Ｖ３」の電圧が印加されることによって、当該電荷はほぼ全て除去される。
【００７１】
次いで、制御部６００は、２行目のライン（２行目の対向電極２０）を選択し、最初の第１期間Ｐ１で、当該選択した２行目の対向電極２０の電位が電位Ｖ３から電位Ｖ４に切り替わるよう負電圧を印加させるとともに、２行目のライン上の画素６０のうちの選択画素６０ａを形成する表示電極４０の電位が電位Ｖ２から電位Ｖ１に切り替わるよう正電圧を印加させて、これらの電極間に電位差「Ｖ１−Ｖ４」の電圧を印加することにより、２行目のライン上の選択画素６０ａを発色させる。
次いで、制御部６００は、次の第２期間Ｐ２で、当該対向電極２０の電位が電位Ｖ４のまま維持されるよう負電圧を印加させるとともに、当該表示電極４０の電位が電位Ｖ１から電位Ｖ５に切り替わるよう負電圧を印加させて、これらの電極間に電位差「Ｖ５−Ｖ４」の電圧を印加することにより、第１期間Ｐ１で非選択画素６０ｂ１を形成する電極間に発生した電荷をほぼ全て除去する。
次いで、第２期間Ｐ２が終了すると、制御部６００は、当該対向電極２０の電位が電位Ｖ４から電位Ｖ３に戻るよう正電圧を印加させるとともに、当該表示電極４０の電位が電位Ｖ５から電位Ｖ２に戻るよう負電圧を印加させる。
【００７２】
そして、制御部６００は、３行目のライン、４行目のライン、５行目のライン、…について上記と同様の処理を行うことにより、１フレーム（１ページ）分の画像をエレクトロクロミック表示デバイス１００に表示させる。
【００７３】
＜実施例＞
以下に、具体的な実施例によって本発明を更に詳細に説明するが、本発明はこれらに限定されるものではない。
【００７４】
（エレクトロクロミック表示デバイスの作製）
第２基板３０として、０．７ｍｍ厚の矩形状の無アルカリガラス基板を用い、その一方の面（下面）に、ＩＴＯをスパッタ形成した。スパッタされたＩＴＯは、膜厚２００ｎｍ、表面抵抗１０Ω／□であった。スパッタ形成されたＩＴＯを、フォトリソグラフィー法を用いて、ストライプ幅０．４２ｍｍ、ピッチ０．４５ｍｍとして、ストライプ状にパターン形成し、表示電極４０…を作製した。
同様に、第１基板１０として、矩形状の無アルカリガラス基板を用い、その一方の面（上面）に、膜厚３００ｎｍの金をスパッタ形成し、フォトリソグラフィー法を用いてストライプ幅０．４０ｍｍ、ピッチ０．４５ｍｍとして、ストライプ状にパターン形成した。引き続き、当該金のストライプパターン上に、膜厚２００ｎｍのＩＴＯをスパッタ形成した。その後、金パターンのスペース部分にＩＴＯのスペース部分が重なるように、フォトリソグラフィーを用いて、幅０．４２ｍｍ、ピッチ０．４５ｍｍのＩＴＯのストライプ状パターンを金のストライプパターン上に形成し、対向電極２０…を作製した。
【００７５】
次に、下記組成になる分散物Ａをボールミル分散にて調整し、膜厚１０μｍとなるように、対向電極２０…上に吸着剤５３の層（吸着層）を形成した。
分散物Ａの組成は、
吸着剤５３（酸化アルミニウム；日本軽金属製、活性アルミナＣ２００）  ２ｇ、
二酸化チタン（石原産業製、二酸化チタンＣＲ−９３）  ２ｇ、
部分鹸化型ポリビニルアルコール（試薬、関東化学製）０．２ｇ、
蒸留水  ２０ｇ、
である。
【００７６】
次いで、スペーサ５１（粒状体（積水化学工業製ミクロパール（粒径５０μｍ）））と、所定の添加物（表示品質劣化抑制剤、ポリマー化合物等）が添加されたエレクトロクロミック組成物５２（以下、「エレクトロクロミック組成物Ａ」と呼ぶ）とを混ぜて溶解したものを、対向電極２０…の上に形成された吸着層を有する第１基板１０と、表示電極４０…が形成された第２基板３０とで挟んだ。そして、対向電極２０…と表示電極４０…とが直交し、その直交部が画素６０…となるように調整することによって、エレクトロクロミック表示デバイス１００（以下「表示デバイスＡ」という）を作製した。
エレクトロクロミック組成物Ａの組成は
支持電解質：テトラｎブチルアンモニウムテトラフルオロボレート（（ｎ−Ｃ４Ｈ９）４ＮＢＦ４）２００ｍｇ、
極性溶剤：プロピレンカーボネート  １．０ｇ、ジメチルスルフォキシド  １．０ｇ、
ロイコ染料：下記の式（１）に示すブラックに発色するロイコ染料  ３００ｍｇ、
ハイドロキノン誘導体（２,５-ジターシャリーアミルハイドロキノン）１８８ｍｇ、
カルボニル基を有する化合物（ベンゾイルアセトン）１２２ｍｇ、
ポリマー化合物（ポリビニルブチラール；積水化学製エスレックＢＨ３）５０ｍｇ、
である。
【化１】
0005879752.tif 000002
【００７７】
（表示動作）
表示デバイスＡが備えるライン電極（対向電極２０）及びデータ電極（表示電極４０）に、それぞれ第１電圧切替部２００…及び第２電圧切替部４００…を接続し、エレクトロクロミック表示デバイス１００として表示デバイスＡを有する表示装置１０００を作製した。
【００７８】
次いで、パッシブマトリクス駆動法を用いて、表示のための通電を行った。
図７（ａ）は、選択画素６０ａを形成する表示電極４０と、選択画素６０ａを形成する対向電極２０との間に印加される電圧を示している。
また、図７（ｂ）は、選択画素６０ａを形成する表示電極４０と、非選択画素６０ｂを形成する対向電極２０との間に印加される電圧を示している。
【００７９】
具体的には、図７（ａ）、（ｂ）に示すように、最初の第１期間Ｐ１では、選択画素６０ａを形成する表示電極４０の電位が電位Ｖ２（＝−０．２Ｖ）から電位Ｖ１（＝＋１．９Ｖ）に切り替わるよう正電圧を印加するとともに、当該選択画素６０ａを形成する対向電極２０の電位が電位Ｖ３（＝＋０．２Ｖ）から電位Ｖ４（＝−１．９Ｖ）に切り替わるよう負電圧を印加した。これにより、当該選択画素６０ａを形成する表示電極４０と当該選択画素６０ａを形成する対向電極２０との間に電位差＋３．８Ｖの電圧（発色反応が生じる電圧）を印加し、当該選択画素６０ａを形成する表示電極４０と非選択画素６０ｂを形成する対向電極２０との間に電位差＋１．７Ｖの電圧（発色反応が生じる電圧）を印加した。
次の第２期間Ｐ２では、当該選択画素６０ａを形成する表示電極４０の電位が電位Ｖ１から電位Ｖ５（＝−１．５２Ｖ＝−Ｖ１×０．８）に切り替わるよう負電圧を印加するとともに、当該選択画素６０ａを形成する対向電極２０の電位が電位Ｖ４で維持されるよう負電圧を印加した。これにより、当該選択画素６０ａを形成する表示電極４０と当該選択画素６０ａを形成する対向電極２０との間に電位差＋０．３８Ｖの電圧（発色反応も消色反応も生じない電圧）を印加し、当該選択画素６０ａを形成する表示電極４０と非選択画素６０ｂを形成する対向電極２０との間に電位差−１．７２Ｖの電圧（消色反応が生じる電圧）を印加した。なお、第１期間Ｐ１の長さと第２期間Ｐ２の長さとの比は、第１期間Ｐ１の長さ：第２期間Ｐ２の長さ＝１：１とした。
次いで、第２期間Ｐ２が終了すると、当該選択画素６０ａを形成する表示電極４０の電位が電位Ｖ５から電位Ｖ２に戻るよう負電圧を印加するとともに、当該選択画素６０ａを形成する対向電極２０の電位Ｖ４から電位Ｖ３に戻るよう正電圧を印加した。
【００８０】
そして、この電圧印加処理を、１ライン当たり１ｍ秒の速度で１ライン毎に行うことにより、スキャンを行って画像を表示し、当該スキャンを繰り返し行って当該画像を繰り返し表示した。
【００８１】
また、比較例として、従来の電圧印加法（すなわち、非選択画素６０ｂを形成する対向電極２０の電位等を制御しない電圧印加法（図１１参照））で各電極に電圧を印加することによって画像を表示した。
図８（ａ）は、比較例の場合における、選択画素６０ａを形成する表示電極４０と、選択画素６０ａを形成する対向電極２０との間に印加される電圧を示している。
また、図８（ｂ）は、比較例の場合における、選択画素６０ａを形成する表示電極４０と、非選択画素６０ｂを形成する対向電極２０との間に印加される電圧を示している。
【００８２】
具体的には、表示デバイスＡを有する表示装置１０００を用い、図８（ａ）に示すように、最初の第１期間Ｐ１では、選択画素６０ａを形成する表示電極４０に対する電圧の印加を開始して、当該表示電極４０の電位が＋１．９Ｖとなるよう正電圧を印加するとともに、当該選択画素６０ａを形成する対向電極２０に対する電圧の印加を開始して、当該対向電極２０の電位が−１．９Ｖとなるよう負電圧を印加することによって、当該選択画素６０ａを形成する表示電極４０と当該選択画素６０ａを形成する対向電極２０との間に電位差＋３．８Ｖの電圧（発色反応が生じる電圧）を印加した。次の第２期間Ｐ２では、当該選択画素６０ａを形成する表示電極４０の電位が＋１．９Ｖから−１．９Ｖに切り替わるよう負電圧を印加するとともに、当該選択画素６０ａを形成する対向電極２０の電位が−１．９Ｖから＋１．９Ｖに切り替わるよう正電圧を印加することによって、当該選択画素６０ａを形成する表示電極４０と当該選択画素６０ａを形成する対向電極２０との間に電位差−３．８Ｖの電圧（消色反応が生じる電圧）を印加した。なお、第１期間Ｐ１の長さと第２期間Ｐ２の長さとの比は、第１期間Ｐ１の長さ：第２期間Ｐ２の長さ＝７：３とした。
【００８３】
次いで、第２期間Ｐ２が終了すると、当該選択画素６０ａを形成する表示電極４０に対する電圧の印加を終了するとともに、当該選択画素６０ａを形成する対向電極２０に対する電圧の印加を終了した。
ここで、図８（ａ）、（ｂ）においては、電圧が印加されていない期間を仮想線（二点鎖線）で示している。これは、電圧が印加されていない期間における対向電極２０及び表示電極４０の電位は、不確定電位（表示画像によって異なる）であり、実際には「０（ゼロ）」ではないため、仮想線で示している。
【００８４】
そして、この電圧印加処理を、１ライン当たり１秒の速度で１ライン毎に行うことにより、スキャンを行って画像を表示し、当該スキャンを繰り返し行って当該画像を繰り返し表示した。
【００８５】
（結果）
実施例の電圧印加法で表示された画像の一部を図９、比較例の電圧印加法で表示された画像の一部を図１０に示す。
比較例の電圧印加法で表示された画像よりも、実施例の電圧印加法で表示された画像の方が、画像の滲みが抑制され、鮮明であることが分かった。
すなわち、非選択画素６０ｂを形成する対向電極２０の電位等を制御して、第１期間Ｐ１で選択画素６０ａを形成する表示電極４０と非選択画素６０ｂを形成する対向電極２０との間に蓄積された電荷を、第２期間Ｐ２でほぼ除去することによって、１ｍ秒／ラインの高速スキャンを行っても、高品質な画像を表示できることが分かった。
【００８６】
以上説明した本発明の表示装置１０００によれば、第１基板１０と、第１基板１０の上面に設けられた対向電極２０と、第１基板１０の上方に当該第１基板１０に対向して設けられ、透明な材料により形成された第２基板３０と、第２基板３０の下面に設けられ、少なくとも一部が透明な電極材料により形成された表示電極４０と、第１基板１０と第２基板３０との間に設けられたエレクトロクロミック組成物層５０と、を備え、対向電極２０と表示電極４０との間の通電によって表示を実施するとともに、対向電極２０と表示電極４０との間の当該表示のための通電とは逆方向の通電によって当該表示の消去を実施するパッシブマトリクス駆動のエレクトロクロミック表示デバイス１００を備える表示装置１０００において、対向電極２０は、並行して延びる複数の電極であり、表示電極４０は、対向電極２０と直交する方向に並行して延びる複数の電極であり、対向電極２０と表示電極４０とが立体交差する領域に画素６０が形成されており、エレクトロクロミック表示デバイス１００に所定の画像を表示させる制御部６００を備え、制御部６００は、非選択画素６０ｂを形成する表示電極４０の電位が電位Ｖ２となるとともに、非選択画素６０ｂを形成する対向電極２０の電位が電位Ｖ３となるよう制御し、選択画素６０ａを形成する対向電極２０と当該選択画素６０ａを形成する表示電極４０との間の表示のための通電を行う期間を２つの期間に分割して、最初の第１期間Ｐ１では、当該表示電極４０の電位が電位Ｖ１（Ｖ１＞Ｖ２、Ｖ１＞Ｖ３）となるとともに、当該対向電極２０の電位が電位Ｖ４（Ｖ４＜Ｖ３）となるよう制御し、次の第２期間Ｐ２では、当該表示電極４０の電位が電位Ｖ５（Ｖ５＜Ｖ３）となるよう制御する。その際、制御部６００は、第１期間Ｐ１の長さ及び第２期間Ｐ２の長さと、電位Ｖ１、電位Ｖ３及び電位Ｖ５とを、第１期間Ｐ１で選択画素６０ａを形成する表示電極４０と非選択画素６０ｂを形成する対向電極２０との間に蓄積された電荷が第２期間Ｐ２でほぼ除去される値となるよう制御するように構成されている。
具体的には、制御部６００は、第１期間Ｐ１の長さと、第２期間Ｐ２の長さとが略同一となるよう制御し、電位Ｖ１と電位Ｖ３との差｜Ｖ１−Ｖ３｜と、電位Ｖ３と電位Ｖ５との差｜Ｖ３−Ｖ５｜とが略同一となるよう制御するように構成されている。
【００８７】
したがって、選択画素６０ａを形成する表示電極４０と非選択画素６０ｂを形成する対向電極２０と間に第１期間Ｐ１で蓄積された電荷を、第２期間Ｐ２での通電によってほぼ除去することができるので、当該電荷が残存することを防止することが可能となる。したがって、高品質な画像の高速表示することができる。
特に、非選択画素６０ｂを形成する対向電極２０の電位等を制御して、第１期間Ｐ１で選択画素６０ａを形成する表示電極４０と非選択画素６０ｂを形成する対向電極２０との間に蓄積される電荷の量を確実に把握することで、これらの電極間に蓄積された電荷が確実に除去されるよう、選択画素６０ａを形成する表示電極４０の電位や、第１期間Ｐ１の長さ、第２期間Ｐ２の長さ等を制御することが可能となる。したがって、非選択画素６０ｂを形成する対向電極２０の電位等を制御しない場合と比較して、これらの電極間に電荷が残存することを確実に防止することが可能となる。その結果、画像の滲みを的確に抑制することができ、高品質な画像を表示することが可能となる。
【００８８】
また、以上説明した本発明の表示装置１０００によれば、制御部６００は、電位Ｖ５が、Ｖ５≧Ｖ４となるよう制御するように構成されている。
【００８９】
したがって、選択画素６０ａを形成する表示電極４０と当該選択画素６０ａを形成する対向電極２０との間に、画素６０を発色させるための通電と同じ方向の電流が第２期間Ｐ２においても流れるので、画素６０を発色させるための通電とは逆方向の通電を第２期間Ｐ２で行う場合と比較して、コントラスト比が維持され、より高品質な画像を表示することが可能となる。
【００９０】
また、以上説明した本発明の表示装置１０００によれば、制御部６００は、電位Ｖ２が、Ｖ２＜０となるよう制御し、電位Ｖ３が、Ｖ３＞０となるよう制御するように構成されている。
【００９１】
したがって、非選択画素６０ｂを形成する表示電極４０と非選択画素６０ｂを形成する対向電極２０との間には、画素６０を発色させるための通電とは逆方向の電流が流れるので、残存する電荷を確実に除去することができる。したがって、画像の滲みをより的確に抑制することができ、より高品質な画像を表示することが可能となる。
【００９２】
なお、本発明は、上記した実施の形態のものに限るものではなく、その要旨を逸脱しない範囲で適宜変更可能である。
【００９３】
上記実施形態では、制御部６００は、第１期間Ｐ１の長さと、第２期間Ｐ２の長さとが略同一となるよう制御し、電位Ｖ１と電位Ｖ３との差｜Ｖ１−Ｖ３｜と、電位Ｖ３と電位Ｖ５との差｜Ｖ３−Ｖ５｜とが略同一となるよう制御するように構成したが、これに限定されるものではない。第１期間Ｐ１の長さ及び第２期間Ｐ２の長さや、電位Ｖ１、電位Ｖ３及び電位Ｖ５は、第１期間Ｐ１で選択画素６０ａを形成する表示電極４０と非選択画素６０ｂを形成する対向電極２０との間に蓄積された電荷が第２期間Ｐ２でほぼ除去される値となるのであれば、適宜任意に変更可能である。
【符号の説明】
【００９４】
１０  第１基板
２０  対向電極
３０  第２基板
４０  表示電極
５０  エレクトロクロミック組成物層
６０  画素
６０ａ  選択画素
６０ｂ  非選択画素
１００  エレクトロクロミック表示デバイス
６００  制御部（表示制御手段）
１０００  表示装置
Ｐ１  第１期間
Ｐ２  第２期間
【図１】
0005879752.tif 000003
【図２】
0005879752.tif 000004
【図３】
0005879752.tif 000005
【図４】
0005879752.tif 000006
【図５】
0005879752.tif 000007
【図６】
0005879752.tif 000008
【図７】
0005879752.tif 000009
【図８】
0005879752.tif 000010
【図１１】
0005879752.tif 000011
【図９】
0005879752.tif 000012
【図１０】
0005879752.tif 000013